【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
コンポーネントキャリアを介してサービスを受信することと、ここにおいて、前記コンポーネントキャリアは免許不要無線周波数スペクトル帯域中にある、
前記コンポーネントキャリアに関連する時間間隔の間にクリアチャネルアセスメントが失敗したと決定することと、
前記免許不要無線周波数スペクトル帯域中の前記コンポーネントキャリアのチャネル状態情報を推定するために前記コンポーネントキャリア上で送信される１つまたは複数の信号を測定することと、前記測定することは、前記クリアチャネルアセスメントが失敗したと決定されるときにトリガされる、
を備える、ワイヤレス通信のための方法。
【請求項２】
前記時間間隔の間に前記クリアチャネルアセスメントが失敗したと決定することは、
前記コンポーネントキャリアのためのフレームについて前記クリアチャネルアセスメントが失敗したと決定すること、ここにおいて、前記フレームは前記時間間隔に関連付けられる、
をさらに備える、請求項１に記載の方法。
【請求項３】
前記コンポーネントキャリアの前記チャネル状態情報を非周期的に送信すること、ここにおいて、前記１つまたは複数の信号は前記コンポーネントキャリアのための前記フレーム中に測定される、
をさらに備える、請求項２に記載の方法。
【請求項４】
前記コンポーネントキャリアのための前記フレームの１つまたは複数のサブフレームについての前記チャネル状態情報の非周期送信を省略すること
をさらに備える、請求項２に記載の方法。
【請求項５】
前記免許不要無線周波数スペクトル帯域中の前記コンポーネントキャリアに関連する非周期チャネル状態情報ビットを受信すること、前記非周期チャネル状態情報ビットは前記コンポーネントキャリアの前記チャネル状態情報を非周期的に送信すべきかどうかを示す、
をさらに備える、請求項１に記載の方法。
【請求項６】
前記コンポーネントキャリアのためのフレームの１つまたは複数のサブフレームについてのチャネル状態情報が前記チャネル状態情報の非周期送信から省略されるべきであるかどうかに関する命令を受信すること
をさらに備える、請求項２に記載の方法。
【請求項７】
前記コンポーネントキャリアは第１のコンポーネントキャリアを備え、前記方法は、
第２のコンポーネントキャリアを介して前記命令を受信すること
をさらに備える、請求項６に記載の方法。
【請求項８】
前記コンポーネントキャリアに関連する前記時間間隔の間にクリアチャネルアセスメントが失敗したかどうかにかかわらず前記チャネル状態情報を周期的に送信すること
をさらに備える、請求項１に記載の方法。
【請求項９】
前記チャネル状態情報を周期的に送信することをさらに備え、
ここにおいて、１つまたは複数の信号を前記測定することは、１つまたは複数の履歴信号を測定することとを備える、
請求項１に記載の方法。
【請求項１０】
前記チャネル状態情報を周期的に送信すること、前記チャネル状態情報は、前記チャネル状態情報に関連する前記コンポーネントキャリアを識別するために使用される指示を備える、
をさらに備える、請求項１に記載の方法。
【請求項１１】
前記指示は、前記チャネル状態情報に関連する前記コンポーネントキャリアを明示的に識別する、請求項１０に記載の方法。
【請求項１２】
前記指示は、前記チャネル状態情報に関連する前記コンポーネントキャリアに関連するスクランブリングパターンを含む、請求項１０に記載の方法。
【請求項１３】
前記スクランブリングパターンは、前記チャネル状態情報が１次セルに関連付けられるとき、第１のスクランブリングパターンを備え、
前記スクランブリングパターンは、前記チャネル状態情報が２次セルに関連付けられるとき、第２のスクランブリングパターンを備える、請求項１２に記載の方法。
【請求項１４】
前記指示は、多重化された物理アップリンク制御チャネル（ＰＵＣＣＨ）および物理アップリンク共有チャネル（ＰＵＳＣＨ）のためのレートマッチングを備える、請求項１０に記載の方法。
【請求項１５】
前記指示は、物理アップリンク制御チャネル（ＰＵＣＣＨ）のリソースロケーションを備える、請求項１０に記載の方法。
【請求項１６】
条件が満たされたかどうかを決定することと、
前記チャネル状態情報を周期的に送信することとをさらに備え、
ここにおいて、前記チャネル状態情報は、前記条件が満たされたとき、前記チャネル状態情報に関連する前記コンポーネントキャリアを識別するために使用される指示を備える、
請求項１に記載の方法。
【請求項１７】
前記条件は、少なくとも２つの交互チャネル状態情報送信に対して同じペイロードサイズである、請求項１６に記載の方法。
【請求項１８】
前記チャネル状態情報を周期的に送信することをさらに備え、
ここにおいて、前記チャネル状態情報は、前記チャネル状態情報に関連する前記コンポーネントキャリアを識別するために使用される指示を備える、
請求項１に記載の方法。
【請求項１９】
前記クリアチャネルアセスメントが失敗したと前記決定することは、チャネル使用ビーコン信号に少なくとも部分的に基づく、請求項１に記載の方法。
【請求項２０】
前記クリアチャネルアセスメントが失敗したと前記決定することは、チャネル状態情報報告のための基準信号に少なくとも部分的に基づく、請求項１に記載の方法。
【請求項２１】
前記コンポーネントキャリアのための前記フレームは、ダウンリンクフレームまたはアップリンクフレームである、請求項２に記載の方法。
【請求項２２】
コンポーネントキャリアを介してサービスを受信するための手段と、ここにおいて、前記コンポーネントキャリアは免許不要無線周波数スペクトル帯域中にある、
前記コンポーネントキャリアに関連する時間間隔の間にクリアチャネルアセスメントが失敗したと決定するための手段と、
前記免許不要無線周波数スペクトル帯域中の前記コンポーネントキャリアのチャネル状態情報を推定するために前記コンポーネントキャリア上で送信される１つまたは複数の信号を測定するための手段と、前記測定することは、前記クリアチャネルアセスメントが失敗したと決定されるときにトリガされる、
を備える、ワイヤレス通信のための装置。
【請求項２３】
前記時間間隔の間に前記クリアチャネルアセスメントが失敗したと決定するための手段は、
前記コンポーネントキャリアのためのダウンリンクフレームについて前記クリアチャネルアセスメントが失敗したと決定するための手段、ここにおいて、前記ダウンリンクフレームは前記時間間隔に関連付けられる、
をさらに備える、請求項２２に記載の装置。
【請求項２４】
前記コンポーネントキャリアの前記チャネル状態情報を非周期的に送信するための手段、ここにおいて、前記１つまたは複数の信号は前記コンポーネントキャリアのための前記フレーム中に測定される、
をさらに備える、請求項２３に記載の装置。
【請求項２５】
前記コンポーネントキャリアのための前記フレームの１つまたは複数のサブフレームについての前記チャネル状態情報の非周期送信を省略するための手段
をさらに備える、請求項２３に記載の装置。
【請求項２６】
プロセッサと、
前記プロセッサと電子通信しているメモリと、
前記メモリに記憶された命令とを備え、前記命令は、前記プロセッサによって、
コンポーネントキャリアを介してサービスを受信することと、ここにおいて、前記コンポーネントキャリアは免許不要無線周波数スペクトル帯域中にある、
前記コンポーネントキャリアに関連する時間間隔の間にクリアチャネルアセスメントが失敗したと決定することと、
前記免許不要無線周波数スペクトル帯域中の前記コンポーネントキャリアのチャネル状態情報を推定するために前記コンポーネントキャリア上で送信される１つまたは複数の信号を測定することと、前記測定することは、前記クリアチャネルアセスメントが失敗したと決定されるときにトリガされる、
を行うように実行可能である、ワイヤレス通信のための装置。
【請求項２７】
前記プロセッサによって、前記時間間隔の間に前記クリアチャネルアセスメントが失敗したと決定することを行うように実行可能である前記命令は、前記プロセッサによって、
前記コンポーネントキャリアのためのフレームについて前記クリアチャネルアセスメントが失敗したと決定すること、ここにおいて、前記フレームは前記時間間隔に関連付けられる、
を行うように実行可能である命令をさらに備える、請求項２６に記載の装置。
【請求項２８】
前記命令は、前記プロセッサによって、
前記コンポーネントキャリアの前記チャネル状態情報を非周期的に送信すること、ここにおいて、前記１つまたは複数の信号は前記コンポーネントキャリアのための前記フレーム中に測定される、
を行うように実行可能である、請求項２７に記載の装置。
【請求項２９】
前記命令は、前記プロセッサによって、
前記コンポーネントキャリアのための前記フレームの１つまたは複数のサブフレームについての前記チャネル状態情報の非周期送信を省略すること
を行うように実行可能である、請求項２７に記載の装置。
【請求項３０】
ワイヤレス通信のためのコンピュータ実行可能コードを記憶する非一時的コンピュータ可読媒体であって、前記コードは、プロセッサによって、
コンポーネントキャリアを介してサービスを受信することと、ここにおいて、前記コンポーネントキャリアは免許不要無線周波数スペクトル帯域中にある、
前記コンポーネントキャリアに関連する時間間隔の間にクリアチャネルアセスメントが失敗したと決定することと、
前記免許不要無線周波数スペクトル帯域中の前記コンポーネントキャリアのチャネル状態情報を推定するために前記コンポーネントキャリア上で送信される１つまたは複数の信号を測定することと、前記測定することは、前記クリアチャネルアセスメントが失敗したと決定されるときにトリガされる、
を行うように実行可能である、非一時的コンピュータ可読媒体。